(57)【要約】【課題】簡単な構成で、原稿自動送り装置付きの原稿圧着板の装置本体に対しての平行度を調整することのできるコストダウン可能なヒンジ等を提供せんとする。【解決手段】装置本体に対して原稿圧着板を開閉可能に連結するヒンジであって、前記装置本体の上面に設けた取付穴に着脱可能に挿入保持される合成樹脂製の取付ケースと、前記取付ケースに挿入係止され前後方向へ移動可能なような取付脚部を設けた同じく合成樹脂製の取付部材と、ヒンジピンにより前記取付部材に対して回動可能に取り付けられる前記原稿圧着板を支持する同じく合成樹脂製の支持部材と、前記取付ケースと前記取付部材との間に作用し、前記取付ケースに対して前記取付部材を前後方向へ移動できる調整ネジを有する調整機構と、を備えることにより解決した。【選択図】図１
2017187699.tif 000002
【特許請求の範囲】
【請求項１】
装置本体に対して原稿圧着板を開閉可能に連結するヒンジであって、
前記装置本体の上面に設けた取付穴に着脱可能に挿入保持される合成樹脂製の取付ケースと、
前記取付ケースに挿入係止され前後方向へ移動可能なような取付脚部を設けた同じく合成樹脂製の取付部材と、
ヒンジピンにより前記取付部材に対して回動可能に取り付けられる前記原稿圧着板を支持する同じく合成樹脂製の支持部材と、
前記取付ケースと前記取付部材との間に作用し、前記取付ケースに対して前記取付部材を前後方向へ移動できる調整ネジを有する調整機構と、
を備えたことを特徴とする、ヒンジ。
【請求項２】
前記調整機構が、前記取付ケースに対して回転可能かつ軸方向には移動不可能なように取り付けられた前記調整ネジと、前記取付部材に対して固定されたところの前記調整ネジが螺合され当該取付部材と共に移動可能なナットと、前記取付部材に設けられたスライド溝を介して前記取付けケースに取り付けられた締付けネジとから構成されたことを特徴とする、請求項１に記載のヒンジ。
【請求項３】
前記取付ケースの内部の両側部に前後方向へ延びる１対のガイドレールが形成され、前記取付部材の底板の下面には、前記ガイドレールと係合し、前記取付部材の前後方向への移動時に前記ガイドレールに沿って摺動する先端部に係合爪を有する１対の取付脚部が設けられたことを特徴とする、請求項１に記載のヒンジ。
【請求項４】
請求項１〜３のいずれか１項に記載のヒンジを設けたことを特徴とする、事務機器。
【発明の詳細な説明】
【技術分野】
【０００１】
本発明は、とくに複写機、複合機（複写機にファクシミリやプリンター機能を搭載させたもの）、印刷機、ファクシミリ、スキャナー等の原稿圧着板を有する事務機器に用いて好適なヒンジ並びにこのヒンジを備えた事務機器に関するものである。
【背景技術】
【０００２】
上記のような事務機器に用いるヒンジとしては、原稿圧着板を支持する支持部材を回転可能に取り付ける取付部材を、装置本体の後部上面に取付ネジを用いて取り付けるタイプのものと、この取付部材に取付脚部を設け、この取付脚部を装置本体の後端部に設けた取付穴へ着脱可能に挿入させるタイプのものがあるが、本発明に係るヒンジは後者のものに属する。さらに、このようなヒンジは、装置本体への着脱が容易で、メンテナンス作業がしやすいという利点を持っている。また、事務機器の１例としての複写機は、装置本体に対して原稿圧着板を開閉可能に支承するために、左右１対のヒンジが用いられるが、原稿圧着板は、通常、左側に重量の大きな原稿自動送り装置を装備しているため、特許文献１に記載されているように、向かって左側には弾力の強い圧縮コイルスプリングを用いた大型のヒンジを使用し、右側には単に原稿圧着板のバランスを維持するだけの軽量、小型のヒンジを用いている。本発明は、この右側に用いるヒンジに関する。
【０００３】
このような取付脚部を用いたヒンジ（原稿圧着板開閉装置とも言う。）としては、特許文献２と３に記載されたような構成のものが公知であるが、取付部材の前後方向の取付位置を調整することができる調整機構を設けたものは見当たらない。この調整機構は原稿圧着板をコンタクトガラスに対して平行に設置するために必要な機構である。また、近年では、ヒンジのコストダウンを図るため、取付部材や支持部材といった構成部材にＳＵＳのような金属プレートのプレス加工品に替えて、機械的強度の強いＡＢＳのような合成樹脂成型品が用いられるようになって来ている。
【先行技術文献】
【特許文献】
【０００４】
【特許文献１】特開２００６−１３９００８号公報
【特許文献２】特開２０１１−２８０７８号公報
【特許文献３】特開２０１２−１５５０９６号公報
【発明の概要】
【発明が解決しようとする課題】
【０００５】
そこで、本発明の目的は、取付部材に取付脚部を取り付けたヒンジにおいて、この取付部材の前後方向の取り付け位置を調整できる調整機構を備えた構造簡単で製造コストの安価なヒンジを提供せんとするにある。
【課題を解決するための手段】
【０００６】
上述した目的を達成するために、本発明に係るヒンジは、装置本体に対して原稿圧着板を開閉可能に連結するヒンジであって、前記装置本体の上面に設けた取付穴に着脱可能に挿入保持される合成樹脂製の取付ケースと、前記取付ケースに挿入係止され前後方向へ移動可能なような取付脚部を設けた同じく合成樹脂製の取付部材と、ヒンジピンにより前記取付部材に対して回動可能に取り付けられる前記原稿圧着板を支持する同じく合成樹脂製の支持部材と、前記取付ケースと前記取付部材との間に作用し、前記取付ケースに対して前記取付部材を前後方向へ移動できる調整ネジを有する調整機構と、を備えたことを特徴とする。
【０００７】
好ましい実施例において、前記調整機構は、前記取付ケースに対して回転可能かつ軸方向には移動不可能なように取り付けられた前記調整ネジと、前記取付部材に対して固定されたところの前記調整ネジが螺合され当該取付部材と共に移動可能なナットと、前記取付部材に設けられたスライド溝を介して前記取付けケースに取り付けられた締付けネジとから構成されたことを特徴とする。
【０００８】
好ましい実施例において、前記取付ケースの内部の両側部に前後方向へ延びる１対のガイドレールが形成され、前記取付部材の底板の下面には、前記ガイドレールと係合し、前記取付部材の前後方向への移動時に前記ガイドレールに沿って摺動する先端部に係合爪を有する１対の取付脚部が設けられたことを特徴とする。
【０００９】
そして、本発明に係る事務機器は、上記の如き構成のヒンジを備えたことを特徴とする。
【発明の効果】
【００１０】
本発明は上記構成を有することにより、従来公知のヒンジに比べて簡単な構成を有する安価なヒンジで、原稿自動送り装置付きの原稿圧着板の装置本体に対しての平行度を調整することのできるヒンジ並びにこのヒンジを用いた事務機器を提供し得るものである。
【図面の簡単な説明】
【００１１】
【図１】本発明の一実施例に係るヒンジを用いた事務機器の一例としての複写機の実施例を模式的に示す断面図である。
【図２】図１に示した本発明に係るヒンジの外観図であり、（ａ）は斜め前方から見た外観斜視図、（ｂ）は斜め後方から見たから見た外観斜視図である。
【図３】図２に示したヒンジの分解斜視図である。
【図４】図２に示したヒンジの（ａ）平面図、（ｂ）正面図、（ｃ）右側面図、（ｄ）（ｃ）におけるＢ−Ｂ断面図である。
【図５】図２に示した本発明に係るヒンジにおける取付ケースを示す（ａ）斜め前方から見た外観斜視図、（ｂ）底面図である。
【図６】図２に示した本発明に係るヒンジにおける取付部材を示す（ａ）斜め前方から見た外観斜視図、（ｂ）平面図、（ｃ）正面図、（ｄ）背面図、（ｅ）（ｃ）におけるＣ−Ｃ断面図である。
【図７】図２に示した本発明に係るヒンジにおける支持部材を示す（ａ）正面図、（ｂ）（ａ）におけるＤ−Ｄ断面図、（ｃ）底面図である。
【図８】図２に示した本発明に係るヒンジの調整動作を段階的に示す断面図である。
【発明を実施するための形態】
【００１２】
以下、図面を参照しつつ、本発明の好適な実施例について具体的に説明する。以下の説明では事務機器として複写機や複合機に用いられる原稿圧着板の開閉用のヒンジとして説明するが、本発明に係るヒンジは他にも印刷機、ファクシミリ、スキャナー等の事務機器にも用いることが可能である。そして、添付の各図において、同一の指示記号を付したものは、同一または同等の構成及び機能を有する部材等を示している。尚、本発明は、図示した実施例に限定されず、特許請求の範囲に記載された範囲内における各種の変更実施例を包摂するものである。
【実施例】
【００１３】
図１〜図５には、本発明に係るヒンジ１が示されている。図面によれば、図１において、複写機３０は、装置本体３１、原稿圧着板３２、コンタクトガラス３３、等々を備えている。複写機３０の装置本体３１に対して原稿圧着板３２を開閉可能に支持するために、通常左右１対のヒンジが用いられ、通常、図示を省略してあるが、左側に重量の大きな原稿自動送り装置を装備している。したがって、向かって左側には原稿圧着板３２の開閉操作を容易にすると共に、急激な落下を防止するために、高弾性力を有するスプリングを内蔵した大型のヒンジを使用し、右側には単に原稿圧着板のバランスを維持するだけの軽量、小型のヒンジを用いることが多い。本発明に係るヒンジ１は、この右側に設置される小型軽量のヒンジに関する。尚、図１中に示したヒンジ１の部分の断面は、図４の（ｂ）におけるＡ−Ａ断面に相当する。
【００１４】
本発明に係るヒンジ１は、図１に示したように、複写機３０の装置本体３１の上面に設けた取付穴３４へ挿入、保持される取付ケース２と、この取付ケース２の上面に沿って前後方向（使用者へ向けて近づく方向と離れる方向）へ移動可能なように取り付けられる取付部材３と、固定ネジ１０によって原稿圧着板３２が取り付けられると共に、ヒンジピン５により取付部材３に対して回動可能に取り付けられる支持部材４と、取付ケース３と取付部材４との間に作用し、取付部材３に対して支持部材４を前後方向へ移動させる調整ネジ７を有する調整機構６と、を備えている。
【００１５】
上記調整機構６は、図示した実施例において、取付ケース２の後部上端に形成された立上げリブ２ｆに対して回転可能かつ軸方向には移動不可能なように取り付けられた調整ネジ７と、取付部材３のナット嵌込み枠３ｍ内に収容され、取付部材３に対して回転不可能かつ軸方向にも移動不可能なように固定されると共に、調整ネジ７が螺合され、当該取付部材３と共に移動可能なナット８と、取付部材３に設けられたスライド溝３ｄを介して取付けケース２に取り付けられた締付けネジ９と、から構成されている。したがって、締付けネジ９を緩め、調整ねジ７をナット８に対してねじ込んだり緩めたりすることにより、そのナット８の動きと一緒に取付部材３が前後方向に移動し、これにより、取付部材３に回動可能に取り付けられた支持部材４に固定された原稿圧着板３２も前後方向に移動して、その前後方向の位置調整により、装置本体に対しての平行度の調節が可能となるものである。調整後は締付けネジ９を締めつけて取付部材３を取付ケース２上に固定する。
【００１６】
取付ケース２は、例えば機械的強度に優れたＡＢＳ合成樹脂製の成型品であって、とくに図５に示したように、底部解放の角筒状を呈し、正面壁２ａと、右側面壁２ｂと、左側面壁２ｃと、背面壁２ｄと、上面板２ｅと、立上げリブ２ｆと、ネジ係止溝２ｇと、上面開口２ｈと、ネジ孔２ｉと、目盛２ｊと、係止突起２ｋと、ガイドレール２ｌ、２ｍと、膨出部２ｎ〜２ｑとを具えている。正面壁２ａの下端外面に設けた係止突起２ｋは、ヒンジ１を装置本体３１の取付穴３４に取り付ける際に、この係止突起２ｋがある側を下にした斜めの状態で取付穴３４内に挿入を開始し、取付穴３４の前方内壁に形成した縦溝３４ａ内に係止突起２ｋが進入した後、ヒンジ１を垂直姿勢にして取付ケース２全体を押して取付穴３４内に収容するようにする。係止突起２ｋは、また、本などの厚物原稿をコンタクトガラス３３上に載置して複写する際に、コンタクトガラス３３に対して斜め位置となる原稿圧着板３２を下押しして当該コンタクトガラス３３に対して水平にする必要がある。この際にヒンジ１全体が上方へ持ち上げられて取付ケース２が取付穴３４から抜け出すのを防止するストッパーの役割を果たす。
【００１７】
取付ケース２の上面板２ｅ上には、同じく機械的強度に優れたＡＢＳ合成樹脂の成型品から成る取付部材３が前後方向に移動可能なように取り付けられている。取付部材３の底板３ａの下面には一対の取付脚部３ｅ、３ｆが設けられ、これらの１対の取付脚部３ｅ、３ｆが、取付ケース２の上面開口２ｈから取付ケース２内へ挿入されるようになっている。取付ケース２の上面板２ｅには、取付部材３が前後方向へ移動した際に当該取付部材３を取付ケース２へ固定するための締付けネジ９用のネジ孔２ｉが明けられると共に、取付部材３の移動距離を知るための目盛２ｊが設けられている。また、取付ケース２の内部には、その両側部の右側板３ｂと左側板３ｃとにそれぞれ内側へ突出した一対のガイドレール２ｌ、２ｍがそれぞれ設けられ、取付部材３の底板３ａの下面に設けた取付脚部３ｅ、３ｆの係合爪３ｇ、３ｈがこのガイドレール２ｌ、２ｍに前後方向へ移動可能に係止されている。
【００１８】
取付ケース２の上面板２ｅの後端縁には、立上げリブ２ｆが一体的に形成され、その上端縁に形成したネジ係止溝２ｇに、調整ネジ７が嵌め込まれることにより、調整ネジ７は回転は可能であるが、軸方向には移動できないように装着されるようになっている。更に、取付ケース２の正面壁２ａ、右側面壁２ｂ、左側面壁２ｃ、背面壁２ｄの外面上部には、それぞれ膨出部２ｎ、２ｏ、２ｐ、２ｑが形成され、取付ケース２が装置本体３１の前記取付穴３４に挿入保持されたときの安定性を向上させ得るようになっている。
【００１９】
取付部材３も上記したようにＡＢＳ合成樹脂製の成型品であって、図示（図６は取付部材３を単品として示す）したように、底板３ａと、右側板３ｂと、左側板３ｃと、スライド溝３ｄと、取付脚部３ｅ、３ｆと、係合爪３ｇ、３ｈと、シャフト孔３ｉ、３ｊと、後側板３ｋと、ナット嵌込み枠３ｍと、前枠板３ｎと、右枠板３ｏと、左枠板３ｐと、調整ネジ挿通孔３ｑ、３ｒと、を具えている。取付部材３の底板３ａには前後方向に延びるスライド溝３ｄが明けられ、このスライド溝３に挿通された締付けネジ９を取付ケース２のネジ孔２ｉにねじ込むことにより、取付ケース２上に取付部材３が固定されるように構成されている。取付部材３の両側部には右側板３ｂ及び左側板３ｃが設けられ、これらの側板に設けたシャフト孔３ｉ、３ｊにヒンジピン５を軸装すると共に、このヒンジピン５上に支持部材４を軸支することにより、支持部材４を取付部材３に対して回動可能に取り付けるようになっている。
【００２０】
取付部材３の後部には、後側板３ｋと、前枠板３ｎと、右枠板３ｏと、左枠板３ｐとが設けられ、これらの部材によりナット嵌込み枠３ｍが形成されるようになっている。このナット嵌込み枠３ｍの内部にはナット８が収容され、ナット８の側面は前記右枠板３ｏ、左枠板３ｐ及び底面３ｓに接することにより、ナット８はナット嵌込み枠３ｍの内部で回転不能なように、かつ、軸方向にも移動不可能なように保持されるようになっている。後側板３ｋと前枠板３ｎには、調整ネジ７を回転自在に挿通するための調整ネジ挿通孔３ｑ、３ｒがそれぞれ明けられる。
【００２１】
取付部材３の底板３ａの下面には、前記の如く、１対の取付脚部３ｅ、３ｆが設けられ、この取付脚部３ｅ、３ｆの先端に設けた係合爪３ｇ、３ｈが前記ガイドレール２ｌ、２ｍに前後方向へ移動可能に係止され、このガイドレールに沿って前後方向に移動するようになっている。取付部材３の取付脚部３ｅ、３ｆは所定の弾性を有することにより、この取付脚部３ｅ、３ｆを取付ケース２の前記上面開口２ｈから挿入すると、係合爪３ｇ、３ｈの傾斜した外側面が前記ガイドレール２ｌ、２ｍの表面に接触し、取付脚部３ｅ、３ｆが僅かに内側へ湾曲した状態で押し入れられ、ガイドレール２ｌ、２ｍの下端に達した所で広がって、係合爪３ｇ、３ｈが自動的にガイドレール２ｌ、２ｍの下端面に係止される。
【００２２】
調整ネジ７は、図示（図１、図３等参照）した如く構成され、頭部７ａ、ネジ部７ｂ、鍔部７ｃ、くびれ部７ｄを有している。そのくびれ部７ｄは、前記の如く、取付ケース２の立上げリブ２ｆのネジ係止溝２ｇに嵌め込まれ、そのネジ部７ｂは取付部材３の後側板３ｋに明けた調整ネジ挿通孔３ｑを通じてナット８のネジ孔にねじ入れられ、更にその先端は前枠板３ｎに明けた調整ネジ挿通孔３ｒを通じて前方へ伸び出るようになっている。ここで、ドライバー等の工具を用いて調整ネジ７をナット８にねじ込む方向に回転させると、調整ネジ７は前記の如く立上げリブ２ｆのネジ係止溝２ｇに嵌め込まれていて軸方向の動きが不可能なため、ナット８の方が調整ネジ７の頭部７ａに近づく方向（後方）へ移動し、これと一緒に取付部材３も後方へ向けて移動する。同様に、調整ネジ７をナット８から緩める方向に回転させると、ナット８が調整ネジ７の頭部７ａから遠ざかる方向（前方）へ移動し、これと一緒に取付部材３も前方へ向けて移動する。
【００２３】
次に、支持部材４は、これも同じく機械的強度を有するＡＢＳ合成樹脂の成型品であって、図示（図７は支持部材４を単品として示す）したように、右取付部４ａと、左取付部４ｂと、中間取付部４ｃと、右軸支部４ｄと、左軸支部４ｅと、ネジ孔４ｆ〜４ｈと、ピン孔４ｉ、４ｊと、ストッパー部４ｋとを具えている。この支持部材４は、右軸支部４ｄに設けたピン孔４ｉと、左軸支部４ｅに設けたピン孔４ｉに前記ヒンジピン５を挿通し、ヒンジピン５の両端を前記取付部材３のシャフト孔３ｉ、３ｊにそれぞれ軸装することにより、取付部材３に対して回動可能に軸支される。支持部材４には、その右取付部４ａに設けたネジ孔４ｆ、左取付部４ｂに設けたネジ孔４ｇ、中間取付部４ｃに設けたネジ孔４ｈにそれぞれ挿通される固定ネジ１０を用いて、原稿圧着板３２が取り付けられる。尚、取付ケース2、取付部材3、及び支持部材4を構成する合成樹脂は、ＡＢＳ合成樹脂のほかＰＯＭ（ポリアセタール）の他にポリアミド、ポリカーボネートなどの機械的強度を有する合成樹脂を用いることができる。
【００２４】
次に、上記の如く構成された本発明に係るヒンジ１を用いた複写機３０において、そのコンタクトガラス３３に対する原稿圧着板３２の平行位置を確保するための操作について、図１及び図８を参照しつつ説明する。原稿圧着板３２を支持する２個のヒンジのうちの左側に位置する一方のヒンジ側の位置出しは済ませた状態において、もう一方のヒンジ（本発明に係るヒンジ１）により原稿圧着板３２のコンタクトガラスに対する平行位置を確保するための調整を行うものとする。前記の如く、ドライバー等の工具を用いて締付けネジ９を弛め、次いで調整ネジ７をナット８にねじ込む方向に回転させると、調整ネジ７は立上げリブ２ｆのネジ係止溝２ｇに嵌め込まれていて軸方向の動きが不可能なため、ナット８の方が調整ネジ７の頭部７ａに近づく方向（後方）へ移動し、これと一緒に取付部材３も後方へ向けて移動する。図８の（ａ）から（ｂ）に示す如くである。その移動量は、取付部材３の前端位置を、取付ケース２に設けた目盛２ｊによって視認することによって知ることができる。同様に、調整ネジ７をナット８から緩める方向に回転させると、ナット８が調整ネジ７の頭部７ａから遠ざかる方向（前方）へ移動し、これと一緒に取付部材３も前方へ向けて移動する。例えば、図１において、取付部材３が実線で示す位置にあったものが、破線３’で示す位置へ移動（同様に、支持部材４が実線で示す位置にあったものが、破線４’で示す位置へ移動し、ヒンジピン５が実線で示す位置にあったものが、破線５’で示す位置へ移動）する如くであり、これにより原稿圧着板３２の位置調整が可能であり、その移動量は、目盛２ｊによって知ることができる。調整後は締付けネジ９を締めつけると取付部材３は取付ケース２上へ固定される。
【００２５】
原稿圧着板３２は、もう一方の図示してないヒンジと共に本発明に係るヒンジ１によって、コンタクトガラス３３に対し開閉されるが、その開成角度は、ヒンジ１の支持部材４の後部に設けたストッパー部４ｋが取付部材３の後側板３ｋに当接することにより規制される。実施例のものは、図８に示したように、約８０°であるが、この開成角度に限定されるものではない。
【００２６】
本発明に係る事務機器は、また、上記の如き構成を有する本発明に係るヒンジ１を装置本体３１と原稿圧着板３２との間に設けたことを特徴とする事務機器である。
【００２７】
尚、本発明は上記の実施例に限定されるものではない。例えば、装置本体３１に対する取付ケース２の取付形態、取付ケース２に対する取付部材３の前後方向移動手段の形態、取付部材３や支持部材４の形態、等々については、必要に応じて適宜設計変更することが可能である。したがって、本発明は、上記の説明から当業者が容易に想到し得るすべての変更実施例を包摂するものである。
【産業上の利用可能性】
【００２８】
本発明は上記構成を有することにより、従来公知のヒンジに比べて簡単な構成を有する安価なヒンジで、原稿自動送り装置付きの原稿圧着板の装置本体に対しての平行度を調整することのできるヒンジ並びにこのヒンジを用いた事務機器を提供し得るものである。
【符号の説明】
【００２９】
１      ヒンジ
２      取付ケース
２ｌ、２ｍ  ガイドレール
３      取付部材
３ａ    底板
３ｄ    スライド溝
３ｅ、３ｆ  取付脚部
３ｇ、３ｈ  係合爪
４      支持部材
５      ヒンジピン
６      調整機構
７      調整ネジ
８      ナット
９      締付けネジ
３０    事務機器（複写機）
３１    装置本体
３２    原稿圧着板
３４    取付穴
【図１】
2017187699.tif 000003
【図２】
2017187699.tif 000004
【図３】
2017187699.tif 000005
【図４】
2017187699.tif 000006
【図５】
2017187699.tif 000007
【図６】
2017187699.tif 000008
【図７】
2017187699.tif 000009
【図８】
2017187699.tif 000010